(57)【要約】【課題】複数の蓄電池の残量を均一に保ちつつ、必要時には要求値に対応できる残量管理装置を提供する。【解決手段】蓄電池の残量管理装置は、総合充電要求値が最大充電電力値以下でなく、複数の蓄電池の残量のばらつきが一定値未満の場合は、当該総合充電要求値に複数の交直変換装置の各々の最大充電電力値を乗算し、当該乗算の結果を複数の交直変換装置の最大充電電力値の合計値で除算することで、複数の交直変換装置の各々に対する充電指令値を演算する。【選択図】図１
2018191380.tif 000002
【特許請求の範囲】
【請求項１】
複数の蓄電池の各々において複数の蓄電池モジュールが並列に接続されており、前記複数の蓄電池の各々からの直流電力を複数の交直変換装置の各々により交流電力に変換して当該交流電力を電力系統に供給する電力供給システムにおいて、前記複数の蓄電池の各々の残量から前記複数の蓄電池の残量の平均値を減算した値に基づいて前記複数の蓄電池の各々の残量補正用の充電可能列数を演算する充放電可能数演算部と、
前記複数の交直変換装置の各々の最大充電電力値を前記複数の交直変換装置の各々に対応する蓄電池の残量補正用の充電可能列数で除算することで、前記複数の交直変換装置の各々の１並列当たりの最大充電電力値を演算する最大充放電電力値演算部と、
前記複数の交直変換装置の各々の１並列当たりの最大充電電力値のうちの最小値に前記複数の蓄電池の各々の残量補正用の充電可能列数の合計を乗算することで、システム最大充電電力値を演算するシステム最大充放電電力値演算部と、
総合充電要求値が前記システム最大充電電力値以下でなく、前記複数の蓄電池の残量のばらつきが一定値以上の場合は、前記システム最大充電電力値を総合充電要求値として、当該総合充電要求値に前記複数の蓄電池の各々の残量補正用の充電可能列数を乗算し、当該乗算の結果を前記複数の畜電池の残量補正用の充電可能列数の合計値で除算することで、前記複数の交直変換装置の各々に対する充電指令値を演算し、
総合充電要求値が前記最大充電電力値以下でなく、前記複数の蓄電池の残量のばらつきが一定値未満の場合は、当該総合充電要求値に前記複数の交直変換装置の各々の最大充電電力値を乗算し、当該乗算の結果を前記複数の交直変換装置の最大充電電力値の合計値で除算することで、前記複数の交直変換装置の各々に対する充電指令値を演算する充放電指令値演算部と、
を備えた蓄電池の残量管理装置。
【請求項２】
前記充放電指令値演算部は、総合充電要求値が前記複数の交直変換装置の最大充電電力値の合計値よりも大きい場合は、前記複数の交直変換装置の各々に対する充電指令値を演算する際に用いる総合充電要求値を前記複数の交直変換装置の最大充電電力値の合計値とする請求項１に記載の蓄電池の残量管理装置。
【請求項３】
複数の蓄電池の各々において複数の蓄電池モジュールが並列に接続されており、前記複数の蓄電池の各々からの直流電力を複数の交直変換装置の各々により交流電力に変換して当該交流電力を電力系統に供給する電力供給システムにおいて、前記複数の蓄電池の各々の残量から前記複数の蓄電池の残量の平均値を減算した値に基づいて、前記複数の蓄電池の各々の残量補正用の放電可能列数を演算する充放電可能数演算部と、
前記複数の交直変換装置の各々の最大放電電力値を前記複数の交直変換装置の各々に対応する蓄電池の残量補正用の放電可能列数で除算することで、前記複数の交直変換装置の各々の１並列当たりの最大放電電力値を演算する最大充放電電力値演算部と、
前記複数の交直変換装置の各々の１並列当たりの最大放電電力値のうちの最小値に前記複数の蓄電池の各々の残量補正用の放電可能列数の合計を乗算することで、システム最大放電電力値を演算するシステム最大充放電電力値演算部と、
総合放電要求値が前記システム最大放電電力値以下でなく、前記複数の蓄電池の残量のばらつきが一定値以上の場合は、前記システム最大放電電力値を総合放電要求値として、当該総合放電要求値に前記複数の蓄電池の各々の残量補正用の放電可能列数を乗算し、当該乗算の結果を前記複数の畜電池の残量補正用の放電可能列数の合計値で除算することで、前記複数の交直変換装置の各々に対する放電指令値を演算し、
総合放電要求値が前記最大放電電力値以下でなく、前記複数の蓄電池の残量のばらつきが一定値未満の場合は、当該総合放電要求値に前記複数の交直変換装置の各々の最大放電電力値を乗算し、当該乗算の結果を前記複数の交直変換装置の最大放電電力値の合計値で除算することで、前記複数の交直変換装置の各々に対する放電指令値を演算する充放電指令値演算部と、
を備えた蓄電池の残量管理装置。
【請求項４】
前記充放電指令値演算部は、総合放電要求値が前記複数の交直変換装置の最大放電電力値の合計値よりも大きい場合は、前記複数の交直変換装置の各々に対する放電指令値を演算する際に用いる総合放電要求値を前記複数の交直変換装置の最大放電電力値の合計値とする請求項３に記載の蓄電池の残量管理装置。
【発明の詳細な説明】
【技術分野】
【０００１】
この発明は、蓄電池の残量管理装置に関する。
【背景技術】
【０００２】
特許文献１は、蓄電池の残量管理装置を開示する。当該残量管理装置によれば、複数の蓄電池の残量を均一に保つことができる。
【先行技術文献】
【特許文献】
【０００３】
【特許文献１】特開２０１４−１２４０６３号公報
【発明の概要】
【発明が解決しようとする課題】
【０００４】
しかしながら、特許文献１に記載の残量管理装置においては、複数の蓄電池の残量を保つために、充放電に関する要求値に対して適切に対応できないこともある。
【０００５】
この発明は、上述の課題を解決するためになされた。この発明の目的は、複数の蓄電池の残量を均一に保ちつつ、必要時には要求値に対応できる残量管理装置を提供することである。
【課題を解決するための手段】
【０００６】
この発明に係る蓄電池の残量管理装置は、複数の蓄電池の各々において複数の蓄電池モジュールが並列に接続されており、前記複数の蓄電池の各々からの直流電力を複数の交直変換装置の各々により交流電力に変換して当該交流電力を電力系統に供給する電力供給システムにおいて、前記複数の蓄電池の各々の残量から前記複数の蓄電池の残量の平均値を減算した値に基づいて前記複数の蓄電池の各々の残量補正用の充電可能列数を演算する充放電可能数演算部と、前記複数の交直変換装置の各々の最大充電電力値を前記複数の交直変換装置の各々に対応する蓄電池の残量補正用の充電可能列数で除算することで、前記複数の交直変換装置の各々の１並列当たりの最大充電電力値を演算する最大充放電電力値演算部と、前記複数の交直変換装置の各々の１並列当たりの最大充電電力値のうちの最小値に前記複数の蓄電池の各々の残量補正用の充電可能列数の合計を乗算することで、システム最大充電電力値を演算するシステム最大充放電電力値演算部と、総合充電要求値が前記システム最大充電電力値以下でなく、前記複数の蓄電池の残量のばらつきが一定値以上の場合は、前記システム最大充電電力値を総合充電要求値として、当該総合充電要求値に前記複数の蓄電池の各々の残量補正用の充電可能列数を乗算し、当該乗算の結果を前記複数の畜電池の残量補正用の充電可能列数の合計値で除算することで、前記複数の交直変換装置の各々に対する充電指令値を演算し、総合充電要求値が前記最大充電電力値以下でなく、前記複数の蓄電池の残量のばらつきが一定値未満の場合は、当該総合充電要求値に前記複数の交直変換装置の各々の最大充電電力値を乗算し、当該乗算の結果を前記複数の交直変換装置の最大充電電力値の合計値で除算することで、前記複数の交直変換装置の各々に対する充電指令値を演算する充放電指令値演算部と、を備えた。
【０００７】
この発明に係る蓄電池の残量管理装置は、複数の蓄電池の各々において複数の蓄電池モジュールが並列に接続されており、前記複数の蓄電池の各々からの直流電力を複数の交直変換装置の各々により交流電力に変換して当該交流電力を電力系統に供給する電力供給システムにおいて、前記複数の蓄電池の各々の残量から前記複数の蓄電池の残量の平均値を減算した値に基づいて、前記複数の蓄電池の各々の残量補正用の放電可能列数を演算する充放電可能数演算部と、前記複数の交直変換装置の各々の最大放電電力値を前記複数の交直変換装置の各々に対応する蓄電池の残量補正用の放電可能列数で除算することで、前記複数の交直変換装置の各々の１並列当たりの最大放電電力値を演算する最大充放電電力値演算部と、前記複数の交直変換装置の各々の１並列当たりの最大放電電力値のうちの最小値に前記複数の蓄電池の各々の残量補正用の放電可能列数の合計を乗算することで、システム最大放電電力値を演算するシステム最大充放電電力値演算部と、総合放電要求値が前記システム最大放電電力値以下でなく、前記複数の蓄電池の残量のばらつきが一定値以上の場合は、前記システム最大放電電力値を総合放電要求値として、当該総合放電要求値に前記複数の蓄電池の各々の残量補正用の放電可能列数を乗算し、当該乗算の結果を前記複数の畜電池の残量補正用の放電可能列数の合計値で除算することで、前記複数の交直変換装置の各々に対する放電指令値を演算し、総合放電要求値が前記最大放電電力値以下でなく、前記複数の蓄電池の残量のばらつきが一定値未満の場合は、当該総合放電要求値に前記複数の交直変換装置の各々の最大放電電力値を乗算し、当該乗算の結果を前記複数の交直変換装置の最大放電電力値の合計値で除算することで、前記複数の交直変換装置の各々に対する放電指令値を演算する充放電指令値演算部と、を備えた。
【発明の効果】
【０００８】
これらの発明によれば、総合充電要求値が前記システム最大充電電力値以下でなく、複数の蓄電池の残量のばらつきが一定値以上の場合は、システム最大充電電力値を総合充電要求値として、当該総合充電要求値に複数の蓄電池の各々の残量補正用の充電可能列数を乗算し、当該乗算の結果を複数の畜電池の残量補正用の充電可能列数の合計値で除算することで、複数の交直変換装置の各々に対する充電指令値が演算される。総合充電要求値が最大充電電力値以下でなく、複数の蓄電池の残量のばらつきが一定値未満の場合は、当該総合充電要求値に複数の交直変換装置の各々の最大充電電力値を乗算し、当該乗算の結果を複数の交直変換装置の最大充電電力値の合計値で除算することで、複数の交直変換装置の各々に対する充電指令値が演算される。総合放電要求値がシステム最大放電電力値以下でなく、複数の蓄電池の残量のばらつきが一定値以上の場合は、システム最大放電電力値を総合放電要求値として、当該総合放電要求値に複数の蓄電池の各々の残量補正用の放電可能列数を乗算し、当該乗算の結果を複数の畜電池の残量補正用の放電可能列数の合計値で除算することで、複数の交直変換装置の各々に対する放電指令値を演算し、総合放電要求値が最大放電電力値以下でなく、複数の蓄電池の残量のばらつきが一定値未満の場合は、当該総合放電要求値に複数の交直変換装置の各々の最大放電電力値を乗算し、当該乗算の結果を複数の交直変換装置の最大放電電力値の合計値で除算することで、複数の交直変換装置の各々に対する放電指令値が演算される。このため、複数の蓄電池の残量を均一に保ちつつ、必要時には要求値に対応できる。
【図面の簡単な説明】
【０００９】
【図１】この発明の実施の形態１における蓄電池の残量管理装置が適用される電力供給システムの構成図である。
【図２】この発明の実施の形態１における蓄電池の残量管理装置が適用される電力供給システムの要部の構成図である。
【図３】この発明の実施の形態１における蓄電池の残量管理装置の動作を説明するためのフローチャートである。
【図４】この発明の実施の形態１における蓄電池の残量管理装置の動作を説明するためのフローチャートである。
【図５】この発明の実施の形態１における蓄電池の残量管理装置のハードウェア構成図である。
【発明を実施するための形態】
【００１０】
この発明を実施するための形態について添付の図面に従って説明する。なお、各図中、同一又は相当する部分には同一の符号が付される。当該部分の重複説明は適宜に簡略化ないし省略する。
【００１１】
実施の形態１．
図１はこの発明の実施の形態１における蓄電池の残量管理装置が適用される電力供給システムの構成図である。
【００１２】
図１において、電力供給システムは、電力系統１と複数の蓄電池２と複数の交直変換装置（ＰＣＳ）３と複数の変圧器４と複数のバッテリコントロール（ＢＭＵ）５と充放電指示装置６と残量管理装置７とを備える。
【００１３】
電力系統１は、図示されない交流負荷に接続される。
【００１４】
複数の蓄電池２の各々は、ケース８と複数の蓄電池モジュール９とを備える。ケース８は、蓄電池２の外郭となる。複数の蓄電池モジュール９は、ケース８に収納される。複数の蓄電池モジュール９は、互いに並列に接続される。複数の蓄電池モジュール９の各々は、複数の電池セル１０とヒューズ１１とを備える。複数の電池セル１０は、蓄電池２の最小単位である。複数の電池セル１０は、互いに直列に接続される。ヒューズ１１は、複数の電池セル１０に直列に接続される。
【００１５】
複数の交直変換装置３の各々は、電力系統１からの交流電力を直流電力に変換して当該直流電力を複数の蓄電池２の各々に供給し得るように設けられる。複数の交直変換装置３の各々は、複数の蓄電池２の各々からの直流電力を交流電力に変換して当該交流電力を電力系統１に供給し得るように設けられる。
【００１６】
複数の変圧器４の各々は、電力系統１と複数の交直変換装置３の各々の間の交流電力の電圧を変化させ得るように設けられる。
【００１７】
例えば、複数のバッテリコントロール５（ＢＭＵ）の各々は、複数の蓄電池２の各々の温度と過放電と過充電と残量（ＳＯＣ）を監視し得るように設けられる。
【００１８】
充放電指示装置６は、複数の蓄電池２に対する充放電を指示し得るように設けられる。例えば、充放電指示装置６は、電力使用量と太陽電池と風力発電と蓄電池２とによる電力供給量と電力会社の買電量との監視結果および制御結果に基づいて複数の蓄電池２に対する総合充電要求値または総合放電要求値を演算する。
【００１９】
残量管理装置７は、複数の蓄電池２の残量のばらつきに応じて制御内容を変化させるハイブリッド制御を行う。具体的には、充放電可能数演算部７ａと最大充放電電力値演算部７ｂとシステム最大充放電電力値演算部７ｃと充放電指令値演算部７ｄとを備える。
【００２０】
充放電可能数演算部７ａは、複数の蓄電池２の各々の残量から複数の蓄電池２の残量の平均値を減算した値に基づいて、複数の蓄電池２の各々の残量補正用の充電可能列数を演算する。最大充放電電力値演算部７ｂは、複数の交直変換装置３の各々の最大充電電力値を複数の交直変換装置３の各々に対応する蓄電池２の残量補正用の充電可能列数で除算することで、複数の交直変換装置３の各々の１並列当たりの最大充電電力値を演算する。システム最大充放電電力値演算部７ｃは、複数の交直変換装置３の各々の１並列当たりの最大充電電力値のうちの最小値に複数の蓄電池２の各々の残量補正用の充電可能列数の合計を乗算することで、システム最大充電電力値を演算する。充放電指令値演算部７ｄは、総合充電要求値がシステム最大充電電力値以下でなく、複数の蓄電池２の残量のばらつきが一定値以上の場合は、システム最大充電電力値を総合充電要求値として、当該総合充電要求値に前記複数の蓄電池２の各々の残量補正用の充電可能列数を乗算し、当該乗算の結果を前記複数の畜電池の残量補正用の充電可能列数の合計値で除算することで、複数の交直変換装置３の各々に対する充電指令値を演算する。充放電指令値演算部７ｄは、総合充電要求値が最大充電電力値以下でなく、複数の蓄電池２の残量のばらつきが一定値未満の場合は、当該総合充電要求値に前記複数の交直変換装置３の各々の最大充電電力値を乗算し、当該乗算の結果を前記複数の交直変換装置３の最大充電電力値の合計値で除算することで、複数の交直変換装置３の各々に対する充電指令値を演算する。
【００２１】
充放電可能数演算部７ａは、複数の蓄電池２の各々の残量に複数の蓄電池２の残量の平均値を加算した値に基づいて複数の蓄電池２の各々の残量補正用の放電可能列数を演算する。最大充放電電力値演算部７ｂは、複数の交直変換装置３の各々の最大放電電力値を複数の交直変換装置３の各々に対応する蓄電池２の残量補正用の放電可能列数で除算することで、複数の交直変換装置３の各々の１並列当たりの最大放電電力値を演算する。システム最大充放電電力値演算部７ｃは、複数の交直変換装置３の各々の１並列当たりの最大放電電力値のうちの最小値に複数の蓄電池２の各々の残量補正用の放電可能列数の合計を乗算することで、システム最大放電電力値を演算する。充放電指令値演算部７ｄは、総合放電要求値がシステム最大放電電力値以下でなく、複数の蓄電池２の残量のばらつきが一定値以上の場合は、システム最大放電電力値を総合放電要求値として、当該総合放電要求値に前記複数の蓄電池２の各々の残量補正用の放電可能列数を乗算し、当該乗算の結果を前記複数の畜電池の残量補正用の放電可能列数の合計値で除算することで、複数の交直変換装置３の各々に対する放電指令値を演算する。充放電指令値演算部７ｄは、総合放電要求値が最大放電電力値以下でなく、複数の蓄電池２の残量のばらつきが一定値未満の場合は、当該総合放電要求値に前記複数の交直変換装置３の各々の最大放電電力値を乗算し、当該乗算の結果を前記複数の交直変換装置３の最大放電電力値の合計値で除算することで、複数の交直変換装置３の各々に対する放電指令値を演算する。
【００２２】
次に、図２を用いて、残量管理装置７による蓄電池２の残量の管理方法を説明する。
図２はこの発明の実施の形態１における蓄電池の残量管理装置が適用される電力供給システムの要部の構成図である。
【００２３】
図２において、左側の蓄電池２は、Ａ社製の蓄電池である。右側の蓄電池２は、Ｂ社製の蓄電池である。
【００２４】
左側の蓄電池２の２つの蓄電池モジュール９において、蓄電池モジュール９の１列当たりの容量は、１００ｋＷｈである。１００ｋＷｈが基準とされた場合、蓄電池モジュール９の１列当たりの容量比は、１．０である。蓄電池２の残量は、５０％である。
【００２５】
右側の蓄電池２の２つの蓄電池モジュール９において、蓄電池モジュール９の１列当たりの容量は、５０ｋＷｈである。１００ｋＷｈが基準とされた場合、蓄電池モジュール９の１列当たりの容量比は、０．５である。蓄電池２の残量は、５０％である。
【００２６】
この状態において、２００ｋＷの総合放電要求があった際、左側の交直変換装置３と右側の交直変換装置３とが１００ｋｗを出力すると、左側の蓄電池２の蓄電量の減る割合が大きい。
【００２７】
これに対し、左側の交直変換装置３と右側の交直変換装置３とに対して蓄電池２の残量が一定値となるようにすると、左側の交直変換装置３の出力は、１３３ｋＷとなる。右側の交直変換装置３の出力は、６７ｋＷとなる。
【００２８】
しかしながら、左側の交直変換装置３と右側の交直変換装置３との最大出力値が１００ｋＷである場合、実際には、左側の交直変換装置３の出力値は、１００ｋＷとなる。右側の交直変換装置３の出力値は、５０ｋＷとなる。その結果、２００ｋＷの総合放電要求値に対応できない。
【００２９】
この際、左側の蓄電池２の残量と右側の蓄電池２の残量とのばらつきが一定値以内であれば、残量管理装置７は、左側の蓄電池２の残量と右側の蓄電池２の残量とを均一にする放電指令値を演算せずに総合放電要求値に対応した出力が行われるように放電指令値を演算する。具体的には、残量管理装置７は、左側の交直変換装置３に対する放電指令値を１００ｋＷとする。残量管理装置７は、右側の交直変換装置３に対する放電指令値を１００ｋＷとする。
【００３０】
次に、図３と図４とを用いて、残量管理装置７の動作を説明する。
図３と図４とはこの発明の実施の形態１における蓄電池の残量管理装置の動作を説明するためのフローチャートである。
【００３１】
ステップＳ１では、残量管理装置７は、複数の蓄電池２の各々における蓄電池モジュール９の並列数の情報と複数の蓄電池２の各々の残量の情報とを取得する。
【００３２】
その後、残量管理装置７は、ステップＳ２の動作を行う。ステップＳ２では、残量管理装置７は、複数の蓄電池２の各々における蓄電池モジュール９の並列数から、複数の蓄電池２の各々の残量から複数の蓄電池２の残量の平均値を減算した値を減算することで、複数の蓄電池２の各々の残量補正用の充電可能列数を演算する。この際、残量管理装置７は、複数の蓄電池２の各々の残量から複数の蓄電池２の残量の平均値を減算した値を１０等のパラメータで除算する。残量管理装置７は、複数の蓄電池２の各々における蓄電池モジュール９の並列数に、複数の蓄電池２の各々の残量から複数の蓄電池２の残量の平均値を減算した値を加算することで、複数の蓄電池２の各々の残量補正用の放電可能列数を演算する。この際、残量管理装置７は、複数の蓄電池２の各々の残量から複数の蓄電池２の残量の平均値を減算した値を１０等のパラメータで除算する。複数の蓄電池２の各々において、残量補正用の放電可能列数／残量補正用の充電可能列数がマイナスとなる場合、残量補正用の放電可能列数と残量補正用の充電可能列数とは、「０」とされる。
【００３３】
その後、残量管理装置７は、ステップＳ３の動作を行う。ステップＳ３では、残量管理装置７は、複数の交直変換装置３の各々の最大充電電力値を複数の交直変換装置３の各々に対応する蓄電池２の残量補正用の充電可能列数で除算することで、複数の交直変換装置３の各々の１並列当たりの最大充電電力値を演算する。残量管理装置７は、複数の交直変換装置３の各々の最大放電電力値を複数の交直変換装置３の各々に対応する蓄電池２の残量補正用の放電可能列数で除算することで、複数の交直変換装置３の各々の１並列当たりの最大放電電力値を演算する。
【００３４】
その後、残量管理装置７は、ステップＳ４の動作を行う。ステップＳ４では、残量管理装置７は、複数の交直変換装置３の各々の１並列当たりの最大充電電力値のうちの最小値に複数の蓄電池２の各々の残量補正用の充電可能列数の合計を乗算することで、システム最大充電電力値を演算する。残量管理装置７は、複数の交直変換装置３の各々の１並列当たりの最大放電電力値のうちの最小値に複数の蓄電池２の各々の残量補正用の放電可能列数の合計を乗算することで、システム最大放電電力値を演算する。
【００３５】
その後、残量管理装置７は、ステップＳ５の動作を行う。ステップＳ５では、残量管理装置７は、充放電指示装置６からの充電要求または放電要求があるか否かを判定する。ステップＳ５で充放電指示装置６からの充電要求および放電要求がない場合、残量管理装置７は、ステップＳ１の動作を行う。ステップＳ５で充放電指示装置６からの充電要求または放電要求がある場合、残量管理装置７は、ステップＳ６の動作を行う。
【００３６】
ステップＳ６では、残量管理装置７は、充放電指示装置６からの要求に応じた判定処理の結果を判定する。具体的は、充放電指示装置６からの要求が充電要求である場合、残量管理装置７は、総合充電要求値がシステム最大充電電力値以下である否かを判定する。充放電指示装置６からの要求が放電要求である場合、残量管理装置７は、総合放電要求値がシステム最大放電電力値以下であるか否かを判定する。
【００３７】
ステップＳ６の判定が肯定的である場合、残量管理装置７は、ステップＳ７の動作を行う。ステップＳ７では、残量管理装置７は、複数の交直変換装置３の各々に対する指令値を演算する。具体的には、充放電指示装置６からの要求が充電要求である場合、残量管理装置７は、総合充電要求値に複数の蓄電池２の各々の残量補正用の充電可能列数を乗算し、当該乗算の結果を複数の畜電池の残量補正用の充電可能列数の合計値で除算することで、複数の交直変換装置３の各々に対する充電指令値を演算する。充放電指示装置６からの要求が放電要求である場合、残量管理装置７は、総合放電要求値に複数の蓄電池２の各々の残量補正用の放電可能列数を乗算し、当該乗算の結果を複数の畜電池の残量補正用の放電可能列数の合計値で除算することで、複数の交直変換装置３の各々に対する放電指令値を演算する。
【００３８】
その後、残量管理装置７は、ステップＳ８の動作を行う。ステップＳ８では、残量管理装置７は、複数の交直変換装置３に対する指令値を出力する。具体的には、充放電指示装置６からの要求が充電要求である場合、残量管理装置７は、複数の交直変換装置３に対する充電指令値を出力する。充放電指示装置６からの要求が放電要求である場合、残量管理装置７は、複数の交直変換装置３に対する放電指令値を出力する。
【００３９】
ステップＳ６の判定が否定的である場合、残量管理装置７は、ステップＳ９の動作を行う。ステップＳ９では、残量管理装置７は、複数の蓄電池２の残量のばらつきが一定値以上または複数の電池セル１０の電圧の差が一定値以上であるか否かを判定する。
【００４０】
ステップＳ９の判定が肯定的である場合、残量管理装置７は、ステップＳ１０の動作を行う。ステップＳ１０では、残量管理装置７は、充放電指示装置６からの要求値を変更する。具体的には、充放電指示装置６からの要求が充電要求である場合、残量管理装置７は、総合充電要求値をシステム最大充電値とする。充放電指示装置６からの要求が放電要求である場合、残量管理装置７は、総合放電要求値をシステム最大放電値とする。その後、残量管理装置７は、ステップＳＳ７の動作を行う。
【００４１】
ステップＳ９の判定が否定的である場合、残量管理装置７は、ステップＳ１１の動作を行う。ステップＳ１１では、残量管理装置７は、複数の交直変換装置３の各々に対する指令値を演算する。具体的には、充放電指示装置６からの要求が充電要求である場合、残量管理装置７は、総合充電要求値に前記複数の交直変換装置３の各々の最大充電電力値を乗算し、当該乗算の結果を複数の交直変換装置３の最大充電電力値の合計値で除算することで、複数の交直変換装置３の各々に対する充電指令値を演算する。総合充電要求値が複数の交直変換装置３の最大充電電力値の合計値よりも大きい場合、残量管理装置７は、総合充電要求値を複数の交直変換装置３の最大充電電力値の合計値とする。充放電指示装置６からの要求が放電要求である場合、残量管理装置７は、当該総合放電要求値に複数の交直変換装置３の各々の最大放電電力値を乗算し、当該乗算の結果を複数の交直変換装置３の最大放電電力値の合計値で除算することで、複数の交直変換装置３の各々に対する放電指令値を演算する。総合放電要求値が複数の交直変換装置３の最大放電電力値の合計値よりも大きい場合、残量管理装置７は、総合放電要求値を複数の交直変換装置３の最大放電電力値の合計値とする。その後、残量管理装置７は、ステップＳ８の動作を行う。
【００４２】
以上で説明した実施の形態１によれば、総合充電要求値が最大充電電力値以下でなく、複数の蓄電池２の残量のばらつきが一定値未満の場合は、当該総合充電要求値に複数の交直変換装置３の各々の最大充電電力値を乗算し、当該乗算の結果を複数の交直変換装置３の最大充電電力値の合計値で除算することで、複数の交直変換装置３の各々に対する充電指令値が演算される。このため、複数の蓄電池２の残量を均一に保ちつつ、必要時には総合充電要求値に対応できる。
【００４３】
また、総合充電要求値が複数の交直変換装置３の最大充電電力値の合計値よりも大きい場合、複数の交直変換装置３の各々に対する充電指令値を演算する際に用いる総合充電要求値は、複数の交直変換装置３の最大充電電力値の合計値となる。このため、総合充電要求値に対応できない場合でも、複数の蓄電池２において可能な限りの充電を行うことができる。
【００４４】
また、総合放電要求値が最大放電電力値以下でなく、複数の蓄電池２の残量のばらつきが一定値未満の場合は、当該総合放電要求値に複数の交直変換装置３の各々の最大放電電力値を乗算し、当該乗算の結果を複数の交直変換装置３の最大放電電力値の合計値で除算することで、複数の交直変換装置３の各々に対する放電指令値が演算される。このため、複数の蓄電池２の残量を均一に保ちつつ、必要時には総合放電要求値に対応できる。
【００４５】
また、総合放電要求値が複数の交直変換装置３の最大放電電力値の合計値よりも大きい場合、複数の交直変換装置３の各々に対する放電指令値を演算する際に用いる総合放電要求値は、複数の交直変換装置３の最大放電電力値の合計値となる。このため、総合放電要求値に対応できない場合でも、複数の蓄電池２において可能な限りの放電を行うことができる。
【００４６】
次に、図５を用いて、残量管理装置７の例を説明する。
図５はこの発明の実施の形態１における蓄電池の残量管理装置のハードウェア構成図である。
【００４７】
残量管理装置７の各機能は、処理回路により実現し得る。例えば、処理回路は、少なくとも１つのプロセッサ１２ａと少なくとも１つのメモリ１２ｂとを備える。例えば、処理回路は、少なくとも１つの専用のハードウェア１３を備える。
【００４８】
処理回路が少なくとも１つのプロセッサ１２ａと少なくとも１つのメモリ１２ｂとを備える場合、残量管理装置７の各機能は、ソフトウェア、ファームウェア、又はソフトウェアとファームウェアとの組み合わせにより実現される。ソフトウェアおよびファームウェアの少なくとも一方は、プログラムとして記述される。ソフトウェアおよびファームウェアの少なくとも一方は、少なくとも１つのメモリ１２ｂに格納される。少なくとも１つのプロセッサ１２ａは、少なくとも１つのメモリ１２ｂに記憶されたプログラムを読み出して実行することにより、残量管理装置７の各機能を実現する。少なくとも１つのプロセッサ１２ａは、ＣＰＵ（Ｃｅｎｔｒａｌ  Ｐｒｏｃｅｓｓｉｎｇ  Ｕｎｉｔ）、中央処理装置、処理装置、算出装置、マイクロプロセッサ、マイクロコンピュータ、ＤＳＰともいう。例えば、少なくとも１つのメモリ１２ｂは、ＲＡＭ、ＲＯＭ、フラッシュメモリ、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等である。
【００４９】
処理回路が少なくとも１つの専用のハードウェア１３を備える場合、処理回路は、例えば、単一回路、複合回路、プログラム化したプロセッサ、並列プログラム化したプロセッサ、ＡＳＩＣ、ＦＰＧＡ、又はこれらを組み合わせたものである。例えば、残量管理装置７の各機能は、それぞれ処理回路で実現される。例えば、残量管理装置７の各機能は、まとめて処理回路で実現される。
【００５０】
残量管理装置７の各機能について、一部を専用のハードウェア１３で実現し、他部をソフトウェア又はファームウェアで実現してもよい。例えば、充放電可能数演算部７ａの機能については専用のハードウェア１３としての処理回路で実現し、充放電可能数演算部７ａ以外の機能については少なくとも１つのプロセッサ１２ａが少なくとも１つのメモリ１２ｂに格納されたプログラムを読み出して実行することにより実現してもよい。
【００５１】
このように、処理回路は、ハードウェア１３、ソフトウェア、ファームウェア、又はこれらの組み合わせによって、残量管理装置７の各機能を実現する。
【符号の説明】
【００５２】
１  電力系統、  ２  蓄電池、  ３  交直変換装置、  ４  変圧器、  ５  バッテリコントロール、  ６  充放電指示装置、  ７  残量管理装置、  ７ａ  充放電可能数演算部、  ７ｂ  最大充放電電力値演算部、  ７ｃ  システム最大充放電電力値演算部、  ７ｄ  充放電指令値演算部、  ８  ケース、  ９  蓄電池モジュール、  １０  電池セル、  １１  ヒューズ、  １２ａ  プロセッサ、  １２ｂ  メモリ、  １３  ハードウェア
【図１】
2018191380.tif 000003
【図２】
2018191380.tif 000004
【図３】
2018191380.tif 000005
【図４】
2018191380.tif 000006
【図５】
2018191380.tif 000007